(57)【要約】【課題】  従来の外観可変構造体は、構造体の外観デザインを変更することができず、外観デザインを楽しむには、限定的であった。【解決手段】    構造体と、複数種類の外観デザインを所定の表示領域に表示し、かつ無給電状態でも画像の表示状態を維持することができる電子ペーパー１３Ａ、１５Ａ、１７Ａと、外観デザインに相対する画像データを記憶する画像データ記憶手段３７と、画像データ記憶手段３７に記憶された画像データを所定の画像信号に変換する画像処理手段３９と、画像処理手段３９により変換された所定の画像信号を制御して外観デザインを表示するための電圧を複数枚の電子ペーパーに印加する電圧印加手段４１と、を備える。【選択図】        図２
2011028258.tif 000002
【特許請求の範囲】
【請求項１】
構造体と、
複数種類の外観デザインを所定の表示領域に表示し、かつ無給電状態でも画像の表示状態を維持することができる１枚以上の電子ペーパーと、
を備えており、
前記１枚以上の電子ペーパーが、前記所定の表示領域を視認できるように、前記構造体に配置されており、
前記外観デザインに相対する画像データを記憶する画像データ記憶手段と、
前記画像データ記憶手段に記憶された前記画像データを所定の画像信号に変換する画像処理手段と、
前記画像処理手段により変換された前記所定の画像信号を制御して前記外観デザインを表示するための電圧を前記複数枚の電子ペーパーに印加する電圧印加手段と、
を備えており、
前記構造体が、照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器のいずれか１つであることを特徴とする外観可変構造体。
【請求項２】
前記電圧印加手段が、前記電子ペーパーに電圧を印加するドライバと、前記ドライバに駆動信号を出力する駆動制御回路と、を備えており、
前記画像処理手段と前記駆動制御回路との間、前記駆動制御回路と前記ドライバとの間、前記ドライバと前記電子ペーパーとの間、のいずれかに、着脱可能な配線接続手段が設けられていることを特徴とする請求項１に記載の外観可変構造体。
【請求項３】
前記画像データ記憶手段、前記画像処理手段が、前記電圧印加手段、前記電子ペーパー、前記構造体と別体に構成されており、
前記画像処理手段と前記電圧印加手段の間が、所定の無線通信手段で構成されていることを特徴とする請求項１に記載の外観可変構造体。
【請求項４】
前記電子ペーパーに表示される複数種類の外観デザインのうち、１つの外観デザインを手動選択する手動選択手段を備えていることを特徴とする請求項１乃至請求項３のいずれか１つに記載の外観可変構造体。
【請求項５】
前記電子ペーパーに表示される複数種類の外観デザインのうち、１つの外観デザインを遠隔操作により手動選択する遠隔操作手段を備えていることを特徴とする請求項１乃至請求項４のいずれか１つに記載の外観可変構造体。
【請求項６】
前記電子ペーパーに表示される複数の外観デザインを、所定の順番、規則性のない順番のいずれかにより自動表示する自動表示手段を備えていることを特徴とする請求項１乃至請求項５のいずれか１つに記載の外観可変構造体。
【請求項７】
前記画像データの一部および全部のいずれかが、動画データで構成されており、
前記外観デザインが、動画で表示されることを特徴とする請求項１乃至請求項６のいずれか１つに記載の外観可変構造体。
【発明の詳細な説明】
【技術分野】
【０００１】
本発明は、電子ペーパーの適用技術に関するもので、照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器のいずれか１つに適用して好適である。
【背景技術】
【０００２】
従来、照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器が製造、販売されている。
【０００３】
また、従来、ＥＬ（エレクトロルミネセンス）技術を用いて赤色、青色等に発光させる板状のパネルが販売されている。上述したパネルは、例えば、床部材として用いられている。
【０００４】
また、内容物を保持する（入れる）容器に電子ペーパーを連結させ、第１の画像および第２の画像を表示する製品表示システムが公表されている。（例えば、特許文献１）。
【先行技術文献】
【特許文献】
【０００５】
【特許文献１】特許公表２００９−５０９２０８号広報
【発明の概要】
【発明が解決しようとする課題】
【０００６】
上述した照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器は、その製品完成時に、外観デザインが一義的に決定される。そのため、外観デザインを自由に可変することができず、外観デザインを楽しむには限定的であった。
【０００７】
また、板状のパネルは、通電することによって、限定された色を発光させることはでききるが、多彩な画像表現ができず、やはり外観デザインを楽しむには限定的であった。
【０００８】
また、特許文献１の製品表示システムは、小売店舗、卸売り店舗などで、製品を容器に保持（入れる）、あるいは梱包し、展示することにより、製品の販売促進、イベントのプロモーションを行うものである。したがって、製品自体の外観デザインを自由に可変するものではなく、本発明の外観可変構造体と異なる。また、特許文献２の容器に連結される電子ペーパーは、第１の画像、第２の画像のみ表示するものであるので、利用者が外観デザインを楽しむには、極めて限定的であった。
【０００９】
さらに、上述した照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器、特許文献１の製品表示システムでは、複数の外観デザインから所定の外観デザインを手動選択すること、複数の外観デザインから所定の外観デザインを遠隔操作により手動選択すること、複数の外観デザインを所定の順番、規則性のない順番のいずれかにより自動表示すること、外観デザインを動画で表示することができなかった。
【００１０】
本発明は、上記点に鑑み、これらの問題点を解決することにより、従来製品より格段に外観デザインを楽しむことができる外観可変構造体を提供することを目的とする。
【課題を解決するための手段】
【００１１】
本発明は、上記目的を達成するために、請求項１に記載の発明では、構造体と、
複数種類の外観デザインを所定の表示領域に表示し、かつ無給電状態でも画像の表示状態を維持することができる１枚以上の電子ペーパーと、
を備えており、
１枚以上の電子ペーパーが、所定の表示領域を視認できるように、構造体に配置されており、
外観デザインに相対する画像データを記憶する画像データ記憶手段と、
画像データ記憶手段に記憶された画像データを所定の画像信号に変換する画像処理手段と、
画像処理手段により変換された所定の画像信号を制御して外観デザインを表示するための電圧を複数枚の電子ペーパーに印加する電圧印加手段と、
を備えており、
構造体が、照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器のいずれか１つであることを特徴とする。
【００１２】
これによれば、画像データ記憶手段は、複数種類の外観デザインに相対する画像データを記憶でき、画像処理手段、電圧印加手段によって、１枚以上の電子ペーパーに、複数種類の外観デザインを表示することができる。その結果、従来製品より格段に外観デザインを楽しむことができる外観可変構造体を提供することができる。
【００１３】
請求項２に記載の発明では、請求項１において、電圧印加手段が、電子ペーパーに電圧を印加するドライバと、ドライバに駆動信号を出力する駆動制御回路と、を備えており、
画像処理手段と駆動制御回路との間、駆動制御回路とドライバとの間、ドライバと電子ペーパーとの間、のいずれかに、着脱可能な配線接続手段が設けられていることを特徴とする。
【００１４】
これによれば、構造体を小型化、薄型化、軽量化することが容易になる。
【００１５】
請求項３に記載の発明のように、請求項１において、画像データ記憶手段、画像処理手段が、電圧印加手段、電子ペーパー、構造体と別体に構成されており、
画像処理手段と電圧印加手段の間が、所定の無線通信手段で構成されていてもよい。
【００１６】
請求項４に記載の発明では、請求項１乃至請求項３のいずれか１つにおいて、電子ペーパーに表示される複数種類の外観デザインのうち、１つの外観デザインを手動選択する手動選択手段を備えていることを特徴とする。
【００１７】
これによれば、電子ペーパーに表示される複数種類の外観デザインのうち、１つの外観デザインを手動選択して楽しむことができる。その結果、従来製品より格段に外観デザインを楽しむことができる外観可変構造体を提供することができる。
【００１８】
請求項５に記載の発明では、請求項１または請求項４のいずれか１つにおいて、電子ペーパーに表示される複数種類の外観デザインのうち、１つの外観デザインを遠隔操作により手動選択する遠隔操作手段を備えていることを特徴とする。
【００１９】
これによれば、電子ペーパーに表示される複数種類の外観デザインのうち、１つの外観デザインを遠隔操作により手動選択して楽しむことができる。その結果、従来製品より格段に外観デザインを楽しむことができる外観可変構造体を提供することができる。
【００２０】
請求項６に記載の発明では、請求項１乃至請求項５のいずれか１つにおいて、電子ペーパーに表示される複数の外観デザインを、所定の順番、規則性のない順番のいずれかにより自動表示する自動表示手段を備えていることを特徴とする。
【００２１】
これによれば、所定の順番、規則性のない順番のいずれかにより、複数の外観デザインを自動表示して楽しむことができる。その結果、従来製品より格段に外観デザインを楽しむことができる外観可変構造体を提供することができる。
【００２２】
請求項７に記載の発明では、請求項１乃至請求項６のいずれか１つにおいて、画像データの一部および全部のいずれかが、動画データで構成されており、
外観デザインが、動画で表示されることを特徴とする。
【００２３】
これによれば、電子ペーパーに動画を表示して外観デザインを楽しむことができる。その結果、従来製品より格段に外観デザインを楽しむことができる外観可変構造体を提供することができる。
【図面の簡単な説明】
【００２４】
【図１】本発明の第１の実施形態による外観可変構造体における構造体が照明器具である場合の外観可変構造体の外観図である。
【図２】本発明の第１の実施形態による外観可変構造体のブロック図である。
【図３】本発明の電子ペーパーが粉体移動方式である場合の説明図である。
【図４】本発明の第２の実施形態による外観可変構造体における構造体がシステムキッチンである場合の外観可変構造体の外観図である。
【図５】システムキッチンにおける電子ペーパーディスプレイの配置構成図である。
【図６】本発明の第２の実施形態による外観可変構造体のブロック図である。
【図７】本発明の第３の実施形態による外観可変構造体における構造体が食器棚である場合の電子ペーパーディスプレイの配置構成図である。
【図８】本発明の第３の実施形態による外観可変構造体における構造体が洋服箪笥である場合の電子ペーパーディスプレイの配置構成図である。
【図９】本発明の第３の実施形態による外観可変構造体における構造体が整理箪笥である場合の電子ペーパーディスプレイの配置構成図である。
【図１０】本発明の第３の実施形態による外観可変構造体における構造体が下駄箱または本棚である場合の電子ペーパーディスプレイの配置構成図である。
【図１１】本発明の第３の実施形態による外観可変構造体における構造体が食卓である場合の外観可変構造体の電子ペーパーディスプレイの配置構成図である。
【図１２】本発明の第３の実施形態による外観可変構造体における構造体が机である場合の電子ペーパーディスプレイの配置構成図である。
【図１３】本発明の第３の実施形態による外観可変構造体における構造体が鏡製品である場合の電子ペーパーディスプレイの配置構成図である。
【図１４】本発明の第３の実施形態による外観可変構造体における構造体が戸である場合の電子ペーパーディスプレイの配置構成図である。
【図１５】本発明の第３の実施形態による外観可変構造体における構造体が衝立である場合の電子ペーパーディスプレイの配置構成図である。
【図１６】本発明の第３の実施形態による外観可変構造体における構造体が食卓である場合のブロック図である。
【図１７】本発明の第４の実施形態による外観可変構造体における天井部材、壁部材、床部材の取付図の一例である。
【図１８】本発明の第４の実施形態による外観可変構造体における構造体が床部材である場合の電子ペーパーディスプレイの配置構成図である。
【図１９】図１８の床部材を並べ、全体で１つのデザインになるように表示させたときの説明図である。
【図２０】本発明の第５の実施形態による外観可変構造体における構造体が箱である場合の電子ペーパーディスプレイの配置構成図である。
【図２１】図２０に示す電子ペーパーの加工前の図である。
【図２２】本発明の第５の実施形態による外観可変構造体における構造体が箱である場合の外観可変構造体のブロック図である。
【図２３】本発明の第６の実施形態による外観可変構造体における構造体が保護マットである場合の電子ペーパーディスプレイの配置構成図である。
【図２４】本発明の第６の実施形態による外観可変構造体における構造体が保護マットである場合の外観可変構造体のブロック図である。
【図２５】本発明の第６の実施形態による外観可変構造体における構造体が保護マットである場合の他の実施例である。
【図２６】本発明の第７の実施形態による外観可変構造体における構造体が筆記用具ットである場合の外観可変構造体の外観図である。
【図２７】本発明の第８の実施形態による外観可変構造体における構造体が食器である場合の外観可変構造体の外観図である。
【図２８】図２７のＡ−Ａ断面図である。
【図２９】本発明の第８の実施形態による食器が複数である場合の説明図である。
【図３０】本発明の第８の実施形態による外観可変構造体における構造体が花器である場合の電子ペーパーディスプレイの配置図である。
【図３１】図３０に示す電子ペーパーの加工前の図である。
【発明を実施するための形態】
【実施例】
【００２５】
最初に、本発明の構造体について説明する。本発明の構造体とは、照明器具、システムキッチン、流し台、食器棚、箪笥、靴箱、本棚、食卓、机、鏡製品、戸、衝立、床部材、壁部材、天井部材、箱、保護マット、テーブルシート、下敷き、筆記用具、筆箱、食器、花器のいずれか１つである。
【００２６】
（第１実施形態）
構造体が照明器具である場合の外観可変構造体について説明する。図１、図２に示すように、外観可変構造体Ｓ１は、照明器具１１、電子ペーパーディスプレイ１３、１５、１７、後述する前処理部２９ａを備えている。
【００２７】
図１に示すように、照明器具１１には、フード１１ａ、ベース１１ｂが形成されており、フード１１ａには電子ペーパーディスプレイ１３が、ベース１１ｂには電子ペーパーディスプレイ１５、１７が、それぞれ配置されている。
【００２８】
上述したフード１１ａには、電子ペーパーディスプレイ１３の表示部を保護する保護カバー１１ｃが、電子ペーパーディスプレイ１３に相対するように設けられている。また、ベース１１ｂには、電子ペーパーディスプレイ１５、１７の表示部を保護する保護カバー１１ｄが、電子ペーパーディスプレイ１５、１７に相対するように設けられている。保護カバー１１ｃ、１１ｄの材質を例示すると、透明度の高いポリカーボネイト、ＰＥＴ、ポリ塩化ビニル、アクリル、硬質ガラスなどが挙げられる。
【００２９】
また、ベース１１ｂには、電子ペーパー用電源スイッチ１１ｅ、外観デザイン選択スイッチ１１ｆ、自動表示スイッチ１１ｇ、照明用スイッチ１１ｈが設けられている。
【００３０】
ここで、図２を用いて説明すると、電子ペーパー用電源スイッチ１１ｅは、各電子ペーパーディスプレイ１３、１５、１７、前処理部２９ａに対して給電操作または遮電操作を行うスイッチである。電子ペーパー用電源スイッチ１１ｅを押すと、電源ＯＮ／ＯＦＦ回路を制御して、各電子ペーパーディスプレイ１３、１５、１７、前処理部２９ａに対して給電または遮電を行う。外観デザイン選択スイッチ１１ｆは、電子ペーパー１３Ａ、１５Ａ、１７Ａの表示部に表示される外観デザインを選択する手動選択スイッチである。外観デザイン選択スイッチ１１ｆを押すと、後述するインターフェース４３を介して、選択信号がＣＰＵ３１に送信される。
【００３１】
自動表示スイッチ１１ｇは、電子ペーパー１３Ａ、１５Ａ、１７Ａの表示部に表示される外観デザインを自動表示するためのスイッチである。自動表示スイッチ１１ｇを押すと、後述するインターフェース４３を介して、自動表示信号がＣＰＵ３１に送信される。照明用スイッチ１１ｈは、図示しない照明用電球を点灯または消灯するためのスイッチである。
【００３２】
次に、電子ペーパーディスプレイ１３、１５、１７について、図２を用いて説明する。電子ペーパーディスプレイ１３は、電子ペーパー１３Ａおよび後述する電圧印可手段４１を備えている。電子ペーパーディスプレイ１５は、電子ペーパー１５Ａおよび後述する電圧印可手段４１を備えている。電子ペーパーディスプレイ１７は、電子ペーパー１７Ａおよび後述する電圧印可手段４１を備えている。
【００３３】
電子ペーパー１３Ａ、１５Ａ、１７Ａには、無給電状態でも画像の表示状態を維持することができる電子ペーパーが用いられる。電子ペーパー１３Ａ、１５Ａ、１７Ａを例示すると、電気泳動方式表示デバイス、フレキシブル有機ＥＬデバイス、液晶表示デバイス、ツイストボール方式表示デバイス、粉体移動方式表示デバイス、フレキシブル基板用ＴＦＴなどを挙げることができる。外観デザインの表示形態は、白黒２色であってもよく、カラー表示であってもよい。また、２枚以上の基板を重ね合わせた電子ペーパーであってもよい。
【００３４】
なお、第１の実施形態では、電子ペーパー１３Ａ、１５Ａ、１７Ａは、粉体移動方式表示デバイスを用いるものとして説明する。本発明は、電子ペーパーそのものに関するものではないが、簡単に説明する。
【００３５】
改めて、電子ペーパー１３Ａについて説明する。電子ペーパー１５Ａ、１７Ａは、電子ペーパー１３Ａと同様に構成される。電子ペーパー１３Ａは、無給電状態でも画像の表示状態を維持することができる、粉体移動方式表示デバイスであり、図３に示すように、透明電極を設けた２枚の基板（背面側基板１３ａ、表示側基板１３ｂ）間に表示媒体２３（白色表示媒体２５、黒色表示媒体２７）を封入し、この表示媒体２３に電界を付与することで、外観デザインの表示を行うことができる。
【００３６】
背面側基板１３ａには、隔壁１３ｃが形成されており、背面側基板１３ａと、表示側基板１３ｂとが合わさることにより、セル（空間）１３ｄが形成される。上述した背面側基板１３ａには、導電性を有するＩＴＯ（酸化インジウム錫）透明電極１９が設けられている。また、表示側基板１３ｂには、ＩＴＯ透明電極２１が設けられている。なお、ＩＴＯ透明電極１９、ＩＴＯ透明電極２１は、背面側基板１３ａ、表示側基板１３ｂの外側表面に設けられてもよい。
【００３７】
表示媒体２３は、白色表示媒体用粒子２５ａの粒子群からなる白色表示媒体２５、黒色表示媒体用粒子２７ａからなる黒色表示媒体２７が、各セル１３ｄのそれぞれに封入されている。上記白色表示媒体用粒子２５ａはマイナスの帯電特性を有しており、上記黒色表示媒体用粒子２７ａはプラスの帯電特性を有している。各セル１３ｄのそれぞれに印可する電圧を制御することにより、白色表示媒体用粒子２５ａ、黒色表示媒体用粒子２７ａを移動させ、外観デザインの表示を行うことができる。
【００３８】
本発明の外観デザインについて説明する。外観デザインとは、電子ペーパーに映し出される静止画および動画のいずれか、あるいは静止画および動画の両方である。外観デザインを具体的に例示すると、模様、柄、図柄、図形、文字、写真、絵、意匠、ビデオ映像の所定の場面などを挙げることができる。ホログラム、立体映像による表示方法を含んでいてもよい。
【００３９】
次に、複数の電子ペーパー１３Ａ、１５Ａ、１７Ａを駆動制御する画像表示手段２９について、図２を用いて説明する。画像表示手段２９は、ＣＰＵ３１、ＲＯＭ３３、ＲＡＭ３５、画像データ記憶手段３７、画像処理手段３９、電圧印可手段４１、インターフェース４３を備えている。なお、第１の実施形態では、ＣＰＵ３１、ＲＯＭ３３、ＲＡＭ３５、画像データ記憶手段３７、画像処理手段３９、インターフェース４３は、電圧印可手段４１の前処理部２９ａを構成する。上述した電子ペーパーディスプレイ１３、１５、１７、前処理部２９ａには、商用電源が供給される。
【００４０】
ＣＰＵ３１は、ＲＯＭ３３に記憶された制御プログラムを読み込んで、各種の処理を行う機能を有する。ＲＯＭ３３は、電子ペーパー１３Ａ、１５Ａ、１７Ａに外観デザインを表示制御する制御プログラム、外観デザイン選択スイッチ１１ｆの操作により入力される選択信号を判定して外観デザインを選択する外観デザイン選択プログラム、自動表示スイッチ１１ｇの操作により入力される自動表示信号を判定して外観デザインを自動表示する外観デザイン自動表示プログラム、上記制御プログラム、外観デザイン選択プログラム、外観デザイン自動表示プログラムを実行するための初期データなどが記憶されている。ＲＡＭ３５は、ワークメモリとして用いられ、ＣＰＵ３１、画像処理手段３９の一時記憶領域として、種々のフラグ、変数の値などを記憶する機能を有する。上述した外観デザイン自動表示プログラムは、所定の順番、規則性のない順番のいずれかにより外観デザインを自動表示する機能を有している。
【００４１】
画像データ記憶手段３７は、電子ペーパー１３Ａ、１５Ａ、１７Ａで表示される複数種類の外観デザインを画像データとして記憶する機能を有する。
【００４２】
画像処理手段３９は、ＣＰＵ３１の画像表示命令に応じて、画像データ記憶手段３７から画像データを読み出し、電子ペーパー１３Ａ、１５Ａ、１７Ａに画像を表示するための画像信号を生成する。生成された画像信号は、所定のタイミングで、電圧印可手段４１に出力される。
【００４３】
電圧印可手段４１は、駆動制御回路４５、ドライバ４７、４９を備えている。駆動制御回路４５は、画像処理手段３９と、ドライバ４７、４９の間に配置され、両者のインターフェースを受け持つ。図３に示すように、ドライバ４７は、ＩＴＯ透明電極１９に接続されており、ドライバ４９は、ＩＴＯ透明電極２１に接続されている。
【００４４】
電圧印可手段４１は、画像処理手段３９から出力された画像信号から電子ペーパー１３Ａ、１５Ａ、１７Ａを駆動するための駆動信号を生成する。ドライバ４７、４９は、駆動制御回路４５で生成された駆動信号を制御して、電子ペーパー１３Ａ、１５Ａ、１７Ａに外観デザインを表示するように、電子ペーパー１３Ａ、１５Ａ、１７Ａの各セル１３ｄごとに所定の電圧を印加する。
【００４５】
上述した外観デザイン選択スイッチ１１ｆ、ＣＰＵ３１、ＲＯＭ３３、ＲＡＭ３５、インターフェース４３および外観デザイン選択プログラムは、本発明の手動選択手段を構成する。また、上述した自動表示スイッチ１１ｇ、ＣＰＵ３１、ＲＯＭ３３、ＲＡＭ３５、インターフェース４３および外観デザイン自動表示プログラムは、本発明の自動表示手段を構成する。
【００４６】
利用者が、電子ペーパー１３Ａ、１５Ａ、１７Ａに外観デザインを表示する手順について説明する。外観デザイン選択スイッチ１１ｆを押すと、インターフェース４３を介して、選択信号がＣＰＵ３１に送信される。この際、ＲＡＭ３５は、選択信号の入力回数に応じてフラグを保持する。フラグは、例えば、外観デザイン選択スイッチ１１ｆを押すごとに、０→１→２→３→４→０→１→２→・・・のように可変される。ＣＰＵ３１は、ＲＯＭ３３に記憶された制御プログラムを実行し、画像表示命令を、画像処理手段３９に出力する。
【００４７】
画像処理手段３９は、画像データ記憶手段３７からフラグに応じた画像データを読み出し、電子ペーパー１３Ａ、１５Ａ、１７Ａに画像を表示するための画像信号を生成する。生成された画像信号は、所定のタイミングで、電圧印可手段４１に出力される。電圧印可手段４１は、画像処理手段３９から出力された画像信号から電子ペーパー１３Ａ、１５Ａ、１７Ａを駆動するための駆動信号を生成する。そして、ドライバ４７、４９が、駆動制御回路４５で生成された駆動信号を制御して、電子ペーパー１３Ａ、１５Ａ、１７Ａに外観デザインを表示するように、電子ペーパー１３Ａ、１５Ａ、１７Ａの各セル１３ｄごとに所定の電圧を印加する。
【００４８】
次に、電子ペーパー１３Ａ、１５Ａ、１７Ａに外観デザインを自動表示する手順について説明する。自動表示スイッチ１１ｇを押すと、インターフェース４３を介して、自動表示信号がＣＰＵ３１に送信される。ＣＰＵ３１は、ＲＯＭ３３に記憶された外観デザイン自動表示プログラムを実行し、画像表示命令を、画像処理手段３９に出力する。
【００４９】
外観デザイン自動表示プログラムは、所定の順番、規則性のない順番のいずれかにより、電子ペーパー１３Ａ、１５Ａ、１７Ａに画像を表示するための画像信号を生成する。生成された画像信号は、所定のタイミングで、電圧印可手段４１に出力される。電圧印可手段４１は、画像処理手段３９から出力された画像信号から電子ペーパー１３Ａ、１５Ａ、１７Ａを駆動するための駆動信号を生成する。そして、ドライバ４７、４９が、駆動制御回路４５で生成された駆動信号を制御して、電子ペーパー１３Ａ、１５Ａ、１７Ａに外観デザインを表示するように、電子ペーパー１３Ａ、１５Ａ、１７Ａの各セル１３ｄごとに所定の電圧を印加する。
【００５０】
なお、前処理部２９ａは、照明器具１１に内蔵されているが、外観デザイン選択スイッチ１１ｆ、自動表示スイッチ１１ｇを照明器具１１と別体に構成し、無線通信手段を介して、選択信号をＣＰＵ３１に送信するようにしてもよい。
【００５１】
外観デザインは、図１に示すように、電子ペーパーディスプレイ１３、１５、１７に表示されるそれぞれの外観デザインが別々の外観デザインであってもよいが、電子ペーパーディスプレイ１３、１５、１７に表示されるそれぞれの外観デザインに統一感を持たせてもよい。統一感を持たせた外観デザインとは、例えば、複数の電子ペーパーに表示される外観デザインが同じもの、色相が同じもの、彩度が同じもの、明度が同じもの、色相が連続的に変化するものなどである。
【００５２】
上記構成によれば、画像データ記憶手段３７は、複数種類の外観デザインに相対する画像データを記憶でき、画像処理手段３９、電圧印加手段４１によって、電子ペーパー１３Ａ、１５Ａ、１７Ａに、複数種類の外観デザインを表示することができる。利用者は、手動選択手段（外観デザイン選択スイッチ１１ｆ、ＣＰＵ３１、ＲＯＭ３３、ＲＡＭ３５、インターフェース４３および外観デザイン選択プログラム）を用いて、電子ペーパーディスプレイ１３、１５、１７に表示される複数種類の外観デザインのうち、１つの外観デザインを手動選択して楽しむことができる。
【００５３】
また、利用者は、自動表示手段（自動表示スイッチ１１ｇ、ＣＰＵ３１、ＲＯＭ３３、ＲＡＭ３５、インターフェース４３および外観デザイン自動表示プログラム）を用いて、所定の順番、規則性のない順番のいずれかにより、複数の外観デザインを自動表示して楽しむことができる。また、上述したように、外観デザインは、静止画像に加え、動画を表示することができる。その結果、従来製品より格段に外観デザインを楽しむことができる外観可変構造体を提供することができる。
【００５４】
（第２の実施形態）
本発明の構造体がシステムキッチンである場合について説明する。図４に示すように、外観可変構造体Ｓ２は、システムキッチン５３、後述する電子ペーパーディスプレイ８１、８３、・・・、１０５、前処理部２９ａ、リモートコントローラー１２１を備えている。
【００５５】
システムキッチン５３は、開き戸５５、５７、５９、６１、６３、６５、引き出し６７、６９、開き戸７１、７３、７５、７７、７９を備えており、上記開き戸、引き出し（番号省略）に電子ペーパーディスプレイ８１、８３、・・・、１０５が配置されている。
【００５６】
開き戸５５について説明する。他の開き戸、引き出しに対する各電子ペーパーディスプレイの配置方法は、開き戸５５と同様に構成される。図５に示すように、開き戸５５には、溝部５５ａが設けられており、溝部５５ａに電子ペーパーディスプレイ８１が配置されている。電子ペーパーディスプレイ８１の視認側には、外枠１０７、保護カバー１０９が設けられている。保護カバー１０９の材質を例示すると、透明度の高いポリカーボネイト、ＰＥＴ、ポリ塩化ビニル、アクリル、硬質ガラスなどが挙げられる。
【００５７】
前処理部２９ａは、収納部１１１に配置されており、図６に示すように、電子ペーパーディスプレイ８１、８３、・・・、１０５に接続されている。前処理部２９ａには、後述する送信モジュール１３１から無線送信される信号を受信する受信モジュール１１３が備えられている。
【００５８】
また、前処理部２９ａには、電子ペーパー用電源スイッチ１１５、外観デザイン選択スイッチ１１７、自動表示スイッチ１１９が設けられている。電子ペーパー用電源スイッチ１１５、外観デザイン選択スイッチ１１７、自動表示スイッチ１１９は、それぞれ、第１の実施形態の電子ペーパー用電源スイッチ１１ｅ、外観デザイン選択スイッチ１１ｆ、自動表示スイッチ１１ｇに相当する。なお、前処理部２９ａは、必ずしも、収納部１１１に配置される必要はなく、壁面に配置されてもよい。上述した電子ペーパーディスプレイ８１、８３、・・・、１０５、前処理部２９ａには、商用電源が供給される。
【００５９】
ところで、システムキッチン５３には、前処理部２９ａ、電子ペーパーディスプレイ８１、８３、・・・、１０５を無線信号により遠隔操作するリモートコントローラー１２１が設けられている。リモートコントローラー１２１には、マイクロプロセッサ１２３、電子ペーパー用電源スイッチ１２５、手動選択スイッチ１２７、自動表示スイッチ１２９、送信モジュール１３１が備えられている。おり、リモートコントローラー１２１は、乾電池により駆動する。リモートコントローラー１２１、受信モジュール１１３は、本発明の遠隔操作手段を構成する。
【００６０】
遠隔操作手段を用いると、電子ペーパーディスプレイ８１、８３、・・・、１０５に表示される複数種類の外観デザインのうち、１つの外観デザインを遠隔操作により手動選択して楽しむことができる。その結果、従来製品より格段に外観デザインを楽しむことができる外観可変構造体を提供することができる。
【００６１】
電子ペーパー用電源スイッチ１２５を押すと、送信モジュール１３１、受信モジュール１１３を介して、電源ＯＮ信号または電源ＯＦＦ信号をＣＰＵ３１に送信する。
【００６２】
手動選択スイッチ１２７を押すと、送信モジュール１３１、受信モジュール１１３を介して、選択信号をＣＰＵ３１に送信する。この際、ＲＡＭ３５は、選択信号の入力回数に応じてフラグを保持する。フラグは、例えば、手動選択スイッチ１２７を押すごとに、０→１→２→３→４→０→１→２→・・・のように可変される。ＣＰＵ３１は、ＲＯＭ３３に記憶された制御プログラムを実行し、画像表示命令を、画像処理手段３９に出力する。以下、第１の実施形態で説明した手順に沿って、電子ペーパーディスプレイ８１、８３、・・・、１０５の各電子ペーパーごとに所定の電圧を印加し、外観デザインを表示する。
【００６３】
自動表示スイッチ１２９を押すと、送信モジュール１３１、受信モジュール１１３を介して自動表示信号がＣＰＵ３１に送信される。ＣＰＵ３１は、ＲＯＭ３３に記憶された外観デザイン自動表示プログラムを実行し、画像表示命令を、画像処理手段３９に出力する。
【００６４】
なお、第２の実施形態では、本発明の構造体がシステムキッチンである場合について説明したが、本発明の構造体が流し台であってもよい。流し台は、システムキッチンを構成する構成要素の１つである。流し台に対する電子ペーパーディスプレイの配置位置は、システムキッチンと同様に、電子ペーパーディスプレイの表示部を視認できる位置に配置される。その際の画像表示手段、手動選択手段、自動表示手段の構成、電子ペーパーに外観デザインを表示する手順、電子ペーパーに外観デザインを自動表示する手順は、上述した第４の実施形態（本発明の構造体がシステムキッチンである場合）に準じてよい。
【００６５】
（第３の実施形態）
構造体が食器棚である場合の外観可変構造体について説明する。図７に示すように、外観可変構造体Ｓ３は、食器棚１３３、電子ペーパーディスプレイ１４３、１４５、１４７、１４９、前処理部２９ａ、リモートコントローラー１２１を備えている。
【００６６】
食器棚１３３は、棚１３５が設けられた収納部１３７を備えている。収納部１３７には図示しない蝶番を介して開き戸１３９、１４１が取り付けられている。開き戸１３９には、電子ペーパーディスプレイ１４３、１４５が、開き戸１４１には、電子ペーパーディスプレイ１４７、１４９が配置されている。
【００６７】
開き戸１３９について説明する。開き戸１３９には、溝部１３９ａ、１３９ｂが設けられており、溝部に上述した電子ペーパーディスプレイ１４３、１４５が配置されている。電子ペーパーディスプレイ１４３、１４５の外側には、外枠１５１、１５３、保護カバー１５５、１５７が設けられている。保護カバー１５５、１５７の材質を例示すると、透明度の高いポリカーボネイト、ＰＥＴ、ポリ塩化ビニル、アクリル、硬質ガラスなどが挙げられる。開き戸１４１は、食器棚１３３を正面から見て、開き戸１３９と対称に構成されている。なお、食器棚１３３には、硬質ガラス１５９が設けられている。
【００６８】
外観可変装置Ｓ３は、図６において、電子ペーパーディスプレイ８１、８３、・・・、１０５を、電子ペーパーディスプレイ１４３、１４５、１４７、１４９に変更した装置構成となる。画像表示手段、手動選択手段、自動表示手段の構成、電子ペーパーに外観デザインを表示する手順、電子ペーパーに外観デザインを自動表示する手順は、第２の実施形態で示した外観可変装置Ｓ２（本発明の構造体がシステムキッチンである外観可変装置）に準じてよい。
【００６９】
ところで、上記では、本発明の構造体が食器棚である場合について説明したが、食器棚に換えて、洋服箪笥、整理箪笥、靴箱、本棚、食卓、机、鏡製品、戸、衝立であってもよい。上述の戸は、扉、ドア、襖を含む概念である。
【００７０】
図８に構造体が洋服箪笥である場合の外観可変構造体Ｓ４を、図９に構造体が整理箪笥である場合の外観可変構造体Ｓ５を、図１０に構造体が下駄箱または本棚である場合の外観可変構造体Ｓ６を、図１１に構造体が食卓である場合の外観可変構造体Ｓ７を、図１２に構造体が机である場合の外観可変構造体Ｓ８を、図１３に構造体が鏡製品である場合の外観可変構造体Ｓ９を、図１４に構造体が戸である場合の外観可変構造体Ｓ１０を、図１５に構造体が衝立である場合の外観可変構造体Ｓ１１を例示する。
【００７１】
外観可変構造体Ｓ４、Ｓ５、Ｓ６、・・・、Ｓ１１のうち、外観可変構造体Ｓ７（構造体が食卓）を除く、外観可変構造体Ｓ４、Ｓ５、Ｓ６、Ｓ８、Ｓ９、Ｓ１０、Ｓ１１は、外観可変構造体Ｓ３（構造体が食器棚）と同様に、所定の面に溝部を設け、上記溝部に電子ペーパーディスプレイを配置し、さらに、電子ペーパーディスプレイの外側に外枠、保護カバーを設ける構造とした。
【００７２】
外観可変構造体Ｓ７（構造体が食卓）を除く、外観可変構造体Ｓ４、Ｓ５、Ｓ６、Ｓ８、Ｓ９、Ｓ１０、Ｓ１１は、図６において、電子ペーパーディスプレイ８１、８３、・・・、１０５を、各外観可変構造体Ｓ４、Ｓ５、Ｓ６、Ｓ８、Ｓ９、Ｓ１０、Ｓ１１で用いられる電子ペーパーディスプレイに変更した装置構成となる。画像表示手段、手動選択手段、自動表示手段の構成、電子ペーパーに外観デザインを表示する手順、電子ペーパーに外観デザインを自動表示する手順は、第２の実施形態で示した外観可変構造体Ｓ２（本発明の構造体がシステムキッチンである外観可変構造体）に準じてよい。
【００７３】
なお、構造体が食卓である場合の外観可変構造体Ｓ７については、電源コードに足を引っかけてしまうことを勘案して、図１１に示すようにした。すなわち、透明度の高い太陽電池１６１を、電子ペーパーディスプレイと、保護部材との間に配置し、前処理部、電子ペーパーディスプレイに電力を供給するように構成した。
【００７４】
外観可変構造体Ｓ７では、図１６に示すように、前処理部２９ａに送信モジュール１３１を設けた。送信モジュール１３１は、画像処理手段３９から出力された画像信号を変調し、駆動制御回路４５に接続された受信モジュール１１３に送信する。一方、受信モジュール１１３は、変調された画像信号を復調し、駆動制御回路４５に送信する。
【００７５】
前処理部２９ａは、商用電源による電力が用いられる。また、受信モジュール１１３および電圧印可手段４１には、太陽電池１６１で発生した電力が用いられる。この場合、太陽電池１６１で発生した電力は、一端、蓄電池で蓄電し、昇圧して用いるとよい。
【００７６】
（第４の実施形態）
本発明の構造体が、天井に使用される天井部材、壁に使用される壁部材、床に使用される床部材のいずれかである場合について説明する。図１７に、天井部材１６３、壁部材１６５、床部材１６７の取付例を示す。なお、第４実施形態では、構造体が床部材である場合の外観可変構造体Ｓ１２について説明する。構造体が天井部材である場合の外観可変構造体、構造体が壁部材である場合の外観可変構造体は、一例として、床部材１６７と同様の構成を用いてよい。
【００７７】
図１８に示すように、床部材１６７は、ベース１６９、プレート１７１を備えている。ベース１６９には溝部１６９ａが形成されており、この溝部１６９ａに電子ペーパーディスプレイ１７３、外枠１７５が配置されている。ベース１６９、プレート１７１は、歩行者が踏んでも電子ペーパーディスプレイ１７３を損傷しないように、その板厚、構造、材質などが決定される。プレート１７１の材質を例示すると、透明度の高いポリカーボネイト、ＰＥＴ、ポリ塩化ビニル、アクリル、硬質ガラスなどが挙げられる。
【００７８】
外観可変構造体Ｓ１２は、図６において、電子ペーパーディスプレイ８１、８３、・・・、１０５を、電子ペーパーディスプレイ１７３に変更した装置構成となる。なお、床部材１６７は、複数個用いることが想定される。その場合、必要個数分の電子ペーパーディスプレイが前処理部に接続される。画像表示手段、手動選択手段、自動表示手段の構成、電子ペーパーに外観デザインを表示する手順、電子ペーパーに外観デザインを自動表示する手順は、第２の実施形態で示した外観可変構造体Ｓ２（本発明の構造体がシステムキッチンである外観可変構造体）に準じてよい。
【００７９】
なお、第４の実施形態に限らないが、図１９に示すように、複数個の電子ペーパーディスプレイに表示される外観デザインを、全体で視認した場合に、一つの外観デザイン（図１９では自動車を例示）となるようにしてもよい。この場合、電子ペーパーの所定の領域に、社名、製品名のロゴ、所定の文字などが入っていてもよい。
【００８０】
上記構成によれば、電子ペーパーディスプレイ１７３に、種々の静止画、動画を表示することができるので、ＥＬ（エレクトロルミネセンス）技術を用いて、単に赤色、青色等に発光させる板状のパネル（従来の技術）に比較して、多彩なデザイン表現が可能になる。その結果、従来製品より格段に外観デザインを楽しむことができる外観可変構造体を提供することができる。
【００８１】
（第５の実施形態）
構造体が箱である場合の外観可変構造体について説明する。箱の概念には、化粧箱、ジュエリーボックス、ティッシュボックス、整理用の箱、箱状の小物入れ、筆箱なども含まれる。図２０に示すように、外観可変構造体Ｓ１３は、箱１７７、前処理部２９ａを備えている。
【００８２】
箱１７７は、身１７９、蓋１８１を備えており、蓋１８１には、電子ペーパー１８３が配置されている。電子ペーパー１８３は、図２１に示すように、蓋１８１に配置される前は、平面に展開されており、表示部１８３ａ、１８３ｂ、１８３ｃ、１８３ｄ、１８９ｅが形成されている。上述した電子ペーパー１８３は、折り曲げ部１８５、１８７、１８９、１９１に沿って折り曲げられ、蓋１８１に配置される。
【００８３】
また、上述した電子ペーパー１８３の各ＩＴＯ電極の端部は、接続端子１９３に集約されている。接続端子１９３は、電子ペーパー１８３のＩＴＯ電極に印加電圧を供給するための中継端子であり、コネクタ１９５を接続することができる。コネクタ１９５は、ドライバ４７、ドライバ４９から出力される印加電圧を接続端子１９３に供給する機能を有しており、着脱可能に構成されている。接続端子１９３、コネクタ１９５は、本発明の配線接続手段を構成する。
【００８４】
外観可変構造体Ｓ１３の装置構成を説明すると、図２２に示すように、前処理部２９ａは、駆動制御回路１９７、ドライバ１９９、２０１を備えている。駆動制御回路１９７、ドライバ１９９、ドライバ２０１は、それぞれ、第1の実施形態における駆動制御回路４５、ドライバ４７、ドライバ４９に相当する。ドライバ１９９、２０１と、コネクタ１９５とは、所定の配線により接続されている。
【００８５】
電子ペーパー１８３の各表示部１８３ａ、１８３ｂ、１８３ｃ、１８３ｄ、１８３ｅに表示される外観デザインを可変する場合には、コネクタ１９５を接続する。この状態で外観デザイン選択スイッチ１１７を押すと、各表示部１８３ａ、１８３ｂ、１８３ｃ、１８３ｄ、１８３ｅに表示される外観デザインを可変することができる。そして、可変が終了した後に、コネクタ１９５を外すようにする。
【００８６】
また、自動表示スイッチ１１９を押すと、電子ペーパー１８３の各表示部１８３ａ、１８３ｂ、１８３ｃ、１８３ｄ、１８３ｅに表示される外観デザインを自動的に表示することができる。自動表示を続ける場合、コネクタ１９５は、接続状態を維持する必要がある。
【００８７】
なお、箱１７７に太陽電池、その他の独立した電源供給手段を設け、電子ペーパー１８３に電力を供給するようにし、無線通信手段を介して、外観デザインを可変する、あるいは自動表示をするようにしてもよい。
【００８８】
上記構成によれば、画像データ記憶手段３７、画像処理手段３９、を箱１７７と別体にすることができるので、箱１７７を小型化、軽量化することが容易になる。
【００８９】
（第６の実施形態）
構造体が保護マットである場合の外観可変構造体について説明する。本発明の保護マットとは、学習机、事務机などの点板（主に文字を書く板部）に置いて、点板の保護、汚れ防止などを行うものである。外観可変構造体Ｓ１４は、保護マット２０３、前処理部２９ａを備えている。
【００９０】
保護マット２０３は、プレート２０５、２０７を備えている。プレート２０５には溝部２０５ａが形成されており、この溝部２０５ａに電子ペーパーディスプレイ２０９、太陽電池２１１、受信モジュール１１３が配置されている。プレート２０５、２０７は、保護マット２０３上で文字を書いても電子ペーパーディスプレイ２０９を損傷しないように、その板厚、構造などが決定されている。プレート２０７の材質を例示すると、透明度の高いポリカーボネイト、ＰＥＴ、ポリ塩化ビニル、アクリル、硬質ガラスなどが挙げられる。
【００９１】
外観可変構造体Ｓ１４の装置構成を説明すると、図２４に示すように、保護マット２０３と別体に、前処理部２９ａが設けられている。前処理部２９ａには、画像処理手段３９から出力される画像信号を変調して送信する送信モジュール１３１が設けられている。一方、保護マット２０３には、受信モジュール１１３が設けられている。受信モジュール１１３は、変調された画像信号を復調し、駆動制御回路４５に送信する。
【００９２】
なお、太陽電池２１１は、図２５に示すように、電子ペーパーディスプレイ２０９の視認側に、電子ペーパーディスプレイ２０９に相対するように設けてもよい。この場合、図２４に示す太陽電池２１１は、透明度の高いものでなければならない。
【００９３】
上記では、構造体が保護マットである場合の外観可変構造体について説明したが、同様の構造を用いて、構造体がテーブルシートである場合の外観可変構造体、構造体が下敷きである場合の外観可変構造体に適用してもよい。なお、本発明のテーブルシートとは、保護、装飾などのために、食卓、下駄箱などの上に配置するシートを言う。その場合、寸法、材質などは、適切に選択される。例えば、構造体がテーブルシートである場合、食器、ポット、花瓶などを置いても電子ペーパーディスプレイを損傷しないように、その板厚、構造、材質などが決定される。また、構造体が下敷きである場合、強い筆圧が加わっても電子ペーパーディスプレイを損傷しないようにするように、適切な板厚、構造、材質などが決定される。
【００９４】
（第７の実施形態）
構造体が筆記用具である場合の外観可変構造体について説明する。本発明の筆記用具は、シャープペンシル、ペン、万年筆、筆、鉛筆のいずれかを言う。図２６に示すように、外観可変構造体Ｓ１５は、筆記用具の一形態であるシャープペンシル２１３、前処理部２９ａを備えている。
【００９５】
シャープペンシル２１３は、外筒２１５を備えている。上記外筒２１５の内周面には、透明度の高いシート状の太陽電池２１７が、配置されている。さらに、太陽電池２１７の内周面には、電子ペーパーディスプレイ２１９が、配置されている。
【００９６】
外観可変構造体Ｓ１５は、図２４において、電子ペーパーディスプレイ２０９を、電子ペーパーディスプレイ２１９に変更した装置構成となる。画像表示手段、手動選択手段、自動表示手段の構成、電子ペーパーに外観デザインを表示する手順、電子ペーパーに外観デザインを自動表示する手順は、第６の実施形態で示した外観可変構造体Ｓ１４（本発明の構造体が保護マットである外観可変構造体）に準じてよい。前処理部２９ａには、画像処理手段３９から出力される画像信号を変調して送信する送信モジュール１３１が設けられている。一方、シャープペンシル２１３側には、受信モジュール１１３が設けられている。受信モジュール１１３は、変調された画像信号を復調し、駆動制御回路４５に送信する。
【００９７】
（第８の実施形態）
構造体が食器である場合の外観可変構造体について説明する。本発明の食器は、ドリンクウェア、皿のいずれかを言う。ドリンクウェアを例示すると、水、お茶などを飲むためのコップ、ティーカップ、コーヒーカップ、ワイングラス、ビアグラス、マグ、ジョッキなどを挙げることができる。図２７に示すように、外観可変構造体Ｓ１６は、食器の一形態であるグラス２２１、前処理部２９ａを備えている。
【００９８】
グラス２２１は、図２８に示すように、外側容器２２３と、外側容器２２３に嵌合する内側容器２２５を備えている。内側容器２２５の外周部には、断熱層２２５ａが設けられている。外側容器２２３と、内側容器２２５との間には空間２２７があり、真空状態に保たれている。外側容器２２３の材質を例示すると、透明度の高いポリカーボネイト、ＰＥＴ、ポリ塩化ビニル、アクリル、硬質ガラスなどが挙げられる。
【００９９】
上記外側容器２２３のうち、第１の内周面２２３ａには、電子ペーパー２２９が、第１の内周面２２３ａに沿うように変形されて配置されている。上記外側容器２２３のうち、第２の内周面２２３ｂには、シート状の太陽電池２３１が、第２の内周面２２３ｂに沿うように変形されて配置されている。、
【０１００】
外観可変構造体Ｓ１６の装置構成は、図２４に示す保護マット２０３をグラス２２１に置き換えたものである。前処理部２９ａには、画像処理手段３９から出力される画像信号を変調して送信する送信モジュール１３１が設けられている。一方、グラス２２１側には、受信モジュール１１３が設けられている。受信モジュール１１３では、変調された画像信号を復調し、駆動制御回路４５に送信する。
【０１０１】
上述したグラス２２１は、１個のみで構成されていたが、複数個であってもよい。図２９に示すように、複数個のグラス２２１、２２３、２２５、２２７、２２９に対して、前処理部２９ａが１個のみ設けられている。前処理部２９ａの送信モジュール１３１から画像信号を送信すると、各グラスの受信モジュール１１３で受信して外観デザインを表示するようにすると、各グラスの外観デザインを一括して可変することができる。
【０１０２】
（第９の実施形態）
構造体が花器である場合の外観可変構造体について説明する。図３０に示すように、外観可変構造体Ｓ１７は、花器２４１、前処理部２９ａを備えている。花器２４１は、本体部２４３を備えており、本体部２４３には、電子ペーパー２４５が配置されている。電子ペーパー２４５は、図３１に示すように、本体部２４３に配置される前は、平面に展開されており、表示部２４５ａ、２４５ｂ、２４５ｃ、２４５ｄが形成されている。上述した電子ペーパー１８３は、折り曲げ部２４７、２４９、２５１に沿って折り曲げられ、本体部２４３に配置される。
【０１０３】
本発明の構造体が花器である場合の外観可変構造体は、図２４において、電子ペーパーディスプレイ２０９を、電子ペーパーディスプレイ２１９に変更した装置構成となる。画像表示手段、手動選択手段、自動表示手段の構成、電子ペーパーに外観デザインを表示する手順、電子ペーパーに外観デザインを自動表示する手順は、第６の実施形態で示した外観可変構造体Ｓ２（本発明の構造体が保護マットである外観可変構造体）に準じてよい。
【０１０４】
前処理部２９ａには、画像処理手段３９から出力される画像信号を変調して送信する送信モジュール１３１が設けられている。一方、本体部２４３には、受信モジュール１１３が設けられている。受信モジュール１１３では、変調された画像信号を復調し、駆動制御回路４５に送信する。
【０１０５】
また、本体部２４３には、太陽電池２５３が配置されており、受信モジュール１１３、
電圧印加手段４１、電子ペーパー２４５に電力を供給する。
（その他の実施形態）
【０１０６】
上述した各実施形態における、電子ペーパーまたは電子ペーパーを構造体に配置する位置、範囲、枚数は、種々の適用が考えられ、上述した実施形態に限定されるものではない。例えば、第３の実施形態で説明した外観可変構造体Ｓ３（構造体が洋服箪笥）において、電子ペーパーディスプレイを左右の側面に配置してもよい。また、第３の実施形態で説明した外観可変構造体Ｓ１０（構造体が戸）において、電子ペーパーディスプレイを戸の上半分、あるいは戸の下半分など、限定された領域に配置してもよい。この考え方は、他の実施形態にも適用することができる。
【０１０７】
また、上記各実施形態で説明した画像表示手段、手動選択手段、自動表示手段の構成は、これに限定されるものではない。例えば、第１の実施形態で説明した外観可変構造体Ｓ１（構造体が照明機器）では、リモートコントローラーを備えていなかったが、リモートコントローラーを備えていてもよい。また、外観可変構造体Ｓ３、Ｓ４、Ｓ５、Ｓ６、Ｓ８、Ｓ９、Ｓ１０、Ｓ１１、Ｓ１２では、前処理部２９ａと別体にリモートコントローラーが備えられていた（図６）が、外観可変構造体Ｓ７、Ｓ１４、Ｓ１５、Ｓ１６、Ｓ１７のように、前処理部２９ａにリモートコントロール機能を備えてもよい。
【０１０８】
また、第６の実施形態で説明した、構造体が下敷きである外観可変構造体では、外観デザインの可変時に、画像データ記憶手段に記憶された画像データが用いられたが、磁気書き換え装置により外観デザインを可変させてもよい。磁気書き換え装置は、図示はしないが、ライン状に設けられた磁気ヘッドを、電子ペーパーに対向するように配置し、これをラインと直角方向に移動させながら、電子ペーパーの各セルに磁力を印加して外観デザインを表示させることができる。
【０１０９】
また、実施形態では、保護部材、外枠を設ける実施形態があったが、必要に応じ、なくすか、これに代替する方法を用いてもよい。
【０１１０】
また、上記各実施形態で例示した無線通信手段は、超音波、赤外線の他に、ＲＦＩＤ技術を用いたものであってもよい。
【０１１１】
また、第１３の実施形態で説明した外観可変構造体Ｓ１（構造体が箱）では、駆動制御回路１９７とドライバ１９９、２０１が前処理部２９ａに備えられているが、電子駆動制御回路１９７が前処理部２９ａに備えられ、ドライバ１９９、２０１が電子ペーパーに貼り付けられていてもよい。
【０１１２】
また、第５の実施形態で説明した外観可変構造体Ｓ１３（構造体が箱）では、前処理部２９ａを箱１７７と別体に構成し、コネクタ１９５を着脱するようにしたが、この手法を他の実施形態に用いてもよく、構造体を小型化、薄型化、軽量化することが容易になる。
【０１１３】
また、第５の実施形態で説明した外観可変構造体Ｓ１３（構造体が箱）では、配線接続手段を設けたが、配線接続手段に換えて、無線通信手段を設けてもよい。の手法を他の実施形態に用いてもよい。
【０１１４】
また、前処理部、電子ペーパー、リモートコントローラーに用いられる電源は、各実施形態で説明したものに限定されるものではない。
【０１１５】
上記各実施形態で説明した構成、手段は、これに限定されない。現在の技術水準に鑑みて、特許請求の範囲を満足する外観可変構造体（上記で限定した構造体に関する外観可変構造体）であれば、発明の範囲に含まれる。
【符号の説明】
【０１１６】
１１・・・照明器具
１１ａ・・・フード
１１ｂ・・・ベース
１１ｃ・・・保護カバー
１１ｄ・・・保護カバー
１１ｅ・・・電子ペーパー用電源スイッチ
１１ｆ・・・外観デザイン選択スイッチ
１１ｇ・・・自動表示スイッチ
１１ｈ・・・照明用スイッチ
１３・・・電子ペーパーディスプレイ
１３Ａ・・・電子ペーパー
１５・・・電子ペーパーディスプレイ
１５Ａ・・・電子ペーパー
１７・・・電子ペーパーディスプレイ
１７Ａ・・・電子ペーパー
２９・・・画像表示手段
２９ａ・・・前処理部
３１・・・ＣＰＵ
３３・・・ＲＯＭ
３５・・・ＲＡＭ
３７・・・画像データ記憶手段
３９・・・画像処理手段
４１・・・電圧印可手段
４３・・・インターフェース
４５・・・駆動制御回路
４７・・・ドライバ
４９・・・ドライバ
５１・・・（欠番）
Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５、Ｓ１６、Ｓ１７・・・外観可変構造体
【図１】
2011028258.tif 000003
【図２】
2011028258.tif 000004
【図３】
2011028258.tif 000005
【図４】
2011028258.tif 000006
【図５】
2011028258.tif 000007
【図６】
2011028258.tif 000008
【図７】
2011028258.tif 000009
【図８】
2011028258.tif 000010
【図９】
2011028258.tif 000011
【図１０】
2011028258.tif 000012
【図１１】
2011028258.tif 000013
【図１２】
2011028258.tif 000014
【図１３】
2011028258.tif 000015
【図１４】
2011028258.tif 000016
【図１５】
2011028258.tif 000017
【図１６】
2011028258.tif 000018
【図１７】
2011028258.tif 000019
【図１８】
2011028258.tif 000020
【図１９】
2011028258.tif 000021
【図２０】
2011028258.tif 000022
【図２１】
2011028258.tif 000023
【図２２】
2011028258.tif 000024
【図２３】
2011028258.tif 000025
【図２４】
2011028258.tif 000026
【図２５】
2011028258.tif 000027
【図２６】
2011028258.tif 000028
【図２７】
2011028258.tif 000029
【図２８】
2011028258.tif 000030
【図２９】
2011028258.tif 000031
【図３０】
2011028258.tif 000032
【図３１】
2011028258.tif 000033